(57)【要約】      （修正有）【課題】使用者に二酸化塩素ガスの臭気に基づく不快感を与えることなく、好適に二酸化塩素ガスの徐放を行うことができる二酸化塩素ガス徐放具を提供する。【解決手段】二酸化塩素ガス徐放具１は、顆粒または粉体である二酸化塩素ガス発生源と、二酸化塩素ガス発生源で発生した二酸化塩素ガスを外部に徐放可能に収納する収納体と、を有する二酸化塩素ガス発生体２と、芳香体３と、二酸化塩素ガス発生体２と芳香体３とを共に支持する支持体４と、を備えた。【選択図】図１
0003186240.tif 000002
【実用新案登録請求の範囲】
【請求項１】
顆粒または粉体である二酸化塩素ガス発生源と、前記二酸化塩素ガス発生源で発生した二酸化塩素ガスを外部に徐放可能に収納する収納体と、を有する二酸化塩素ガス発生体と、
芳香体と、
前記二酸化塩素ガス発生体と前記芳香体とを共に支持する支持体と、
を備えたことを特徴とする二酸化塩素ガス徐放具。
【請求項２】
前記二酸化塩素ガス発生体を挿入する挿入口と、前記二酸化塩素ガスを外部に徐放する開口を備え、前記二酸化塩素ガス発生体を収納する二酸化塩素ガス発生体収納領域を少なくとも備えた第１のケースをさらに備え、
前記二酸化塩素ガス発生体は、前記第１のケースを介して前記支持体に支持された請求項１記載の二酸化塩素ガス徐放具。
【請求項３】
少なくとも前記芳香体を収納する、前記第１のケースとは異なる第２のケースをさらに備え、
前記芳香体は、前記第２のケースを介して前記支持体に支持された請求項２記載の二酸化塩素ガス徐放具。
【請求項４】
前記支持体は、前記第１のケースおよび前記第２のケースをそれぞれ取り外し可能に支持する請求項３記載の二酸化塩素ガス徐放具。
【請求項５】
前記芳香体は、紙状の板体に芳香成分をしみこませたものであり、
前記第２のケースは、前記芳香体から発生する芳香臭を外部に徐放するための開口を有する請求項３または４記載の二酸化塩素ガス徐放具。
【請求項６】
前記第２のケースの前記開口は、少なくとも一面の一帯にほぼ均一に配置された請求項５記載の二酸化塩素ガス徐放具。
【請求項７】
前記第１のケースは、前記二酸化塩素ガス発生体収納領域とは別に、カード体を収納するカード体収納領域をさらに備えた請求項２−６のいずれか一項記載の二酸化塩素ガス徐放具。
【請求項８】
前記支持体は、さらにネックストラップを備えた請求項１−７のいずれか一項記載の二酸化塩素ガス徐放具。
【考案の詳細な説明】
【技術分野】
【０００１】
本考案は、二酸化塩素ガスを徐放する二酸化塩素ガス徐放具に関する。
【背景技術】
【０００２】
二酸化塩素は、酸化作用によりウイルス・細菌のタンパク質を変化させることが知られている。具体的には、二酸化塩素は、タンパク質を構成するアミノ酸残基のトリプトファンとチロシンを反応によりそれぞれＮ−ホルミルキヌレンとドーパ、トーパに変換する。
【０００３】
従来、このような二酸化塩素の作用を利用して、空気中に二酸化塩素ガスを一定濃度で徐放し、空間を消臭・除菌する技術が知られている。例えば特許文献１には、二酸化塩素を放出する粒状体が封入された包装体と、この包装体を収容する収容体とを備え、この収容体をネックストラップで首に掛けて使用する空気浄化用具が知られている。
【先行技術文献】
【特許文献】
【０００４】
【特許文献１】登録実用新案第３１８４１８０号公報
【考案の概要】
【考案が解決しようとする課題】
【０００５】
特許文献１に開示された空気浄化用具は、首から掛けて使用されるものであるため、使用者の顔の前方に二酸化塩素ガスが徐放される。しかし、二酸化塩素ガスは、塩素に似た刺激臭を有する物質である。このため、使用者によってはこの刺激臭で気分が悪くなったり、消臭・除菌などの有効な作用があるにもかかわらず、刺激臭のために使用をやめてしまったりする場合があった。
【０００６】
本考案はこのような事情を考慮してなされたもので、使用者に二酸化塩素ガスの臭気に基づく不快感を与えることなく、好適に二酸化塩素ガスの徐放を行うことができる二酸化塩素ガス徐放具を提供することを目的とする。
【課題を解決するための手段】
【０００７】
本考案に係る二酸化塩素ガス徐放具は、上述した課題を解決するために、顆粒または粉体である二酸化塩素ガス発生源と、前記二酸化塩素ガス発生源で発生した二酸化塩素ガスを外部に徐放可能に収納する収納体と、を有する二酸化塩素ガス発生体と、芳香体と、前記二酸化塩素ガス発生体と前記芳香体とを共に支持する支持体と、を備えたことを特徴とする。
【考案の効果】
【０００８】
本考案に係る二酸化塩素ガス徐放具においては、使用者に二酸化塩素ガスの臭気に基づく不快感を与えることなく、好適に二酸化塩素ガスの徐放を行うことができる。
【図面の簡単な説明】
【０００９】
【図１】本考案に係る二酸化塩素ガス徐放具の一実施形態を示す全体的な構成図。
【図２】（Ａ）は二酸化塩素ガス発生体の外観構成図、（Ｂ）は図２（Ａ）のＢ−Ｂ線に沿う断面図。
【図３】芳香体の外観構成図。
【図４】（Ａ）は二酸化塩素ガス用ケースの一面側を示す構成図、（Ｂ）は二酸化塩素ガス用ケースの他面側を示す構成図。
【図５】図４のV−V線に沿う縦断面図。
【図６】（Ａ）は二酸化塩素ガス徐放具の芳香体用ケースの一面側を示す構成図、（Ｂ）は芳香体用ケースの他面側を示す構成図。
【考案を実施するための形態】
【００１０】
本考案に係る二酸化塩素ガス徐放具の一実施形態を添付図面に基づいて説明する。
【００１１】
図１は、本考案に係る二酸化塩素ガス徐放具の一実施形態を示す全体的な構成図である。
【００１２】
二酸化塩素ガス徐放具１（以下単に「徐放具１」という。）は、二酸化塩素ガス発生体２と、芳香体３と、支持体４とを主に有する。また、徐放具１は、二酸化塩素ガス用ケース５（第１のケース）と、芳香体用ケース６（第２のケース）とを有する。二酸化塩素ガス発生体２は、二酸化塩素ガス用ケース５に収納され、芳香体３は、芳香体用ケース６に収納される。ガス発生体２と芳香体３とは、両ケース５、６が支持体４により支持されることにより（ケース５、６を介して）、支持体４に支持される。
【００１３】
図２（Ａ）は二酸化塩素ガス発生体２の外観構成図、（Ｂ）は図２（Ａ）のＢ−Ｂ線に沿う断面図である。
【００１４】
二酸化塩素ガス発生体２（以下単に「ガス発生体２」という。）は、二酸化塩素ガス発生源１１と、収納体１２とを有する。
【００１５】
二酸化塩素ガス発生源１１（以下単に「ガス発生源１１」という。）は、空気に接触することにより空気中の炭酸ガスや水などと反応し、二酸化塩素ガスを発生させる二酸化塩素剤である。ガス発生源１１は、例えば顆粒または粉体であり、公知となっている種々の二酸化塩素剤を用いることができる（例えば国際公開第１９９８／０３８８６５号、特開２０１１−１７３７５８号公報）。ガス発生源１１は、例えば、亜塩素酸アニオン源を担持した多孔質担体である。亜塩素酸アニオン源は、アルカリ金属またはアルカリ土類金属の亜塩素酸塩、好ましくは亜塩素酸ナトリウムである。多孔質担体は、ゼオライト、セピオライト、シリカゲル、珪藻土、パーライト、モンモリロナイトなどである。
【００１６】
収納体１２は、ガス発生源１１で発生した二酸化塩素ガスを外部に徐放可能に収納する。収納体１２は、例えば不織布、ポリエチレンなどの樹脂フィルムでコーティングされた紙など種々の材料で形成することができる。
【００１７】
なお、ガス発生体２の濃度は、ガス発生源１１の量、亜塩素酸アニオン源の担持量、収納体１２の開口率などにより制御される。
【００１８】
図３は芳香体３の外観構成図である。
【００１９】
芳香体３は、紙からなる板体１５に芳香成分（香料）を染み込ませたものである。芳香成分は、合成香料、動物や植物からの天然香料、およびこれら香料を含む調合香料の少なくとも一種、または２種以上を混合して使用することができる。
【００２０】
芳香体３の芳香成分量は特に問わないが、二酸化塩素ガスの臭気よりも芳香体の香気が使用者に届くよう、二酸化塩素ガスの濃度などの条件に応じて設定されることが好ましい。
【００２１】
図４（Ａ）は二酸化塩素ガス用ケース５の一面側を示す構成図、（Ｂ）は二酸化塩素ガス用ケース５の他面側を示す構成図である。
【００２２】
図５は、図４（Ｂ）のV−V線に沿う縦断面図である。
【００２３】
二酸化塩素ガス用ケース５は、例えばポリ塩化ビニルなどで形成された矩形状のケースである。二酸化塩素ガス用ケース５は、ガス発生体２を収納する二酸化塩素ガス発生体収納領域２１と、カード体を収納するカード体収納領域２２とを備える。すなわち、二酸化塩素ガス用ケース５は、２つに区画された収納領域を有する。
【００２４】
ケース５の表面（または裏面）に形成されたガス発生体収納領域２１においては、図示上方よりガス発生体２を挿入するための挿入口２３が設けられる。また、二酸化塩素ガスをケース５の外部に徐放するための複数の開口２４が設けられる。
【００２５】
ケース５の裏面（または表面）に形成されたカード体収納領域２２においては、例えばＩＤカードなどのカード体を挿入するための挿入口２５が設けられる。ケース５は、カード体収納領域２２に収容されるカード体の寸法に合せて、寸法が決定されてもよい。
【００２６】
ケース５には、図示上方に支持体４により支持されるための支持孔２６が設けられる。
【００２７】
図６（Ａ）は二酸化塩素ガス徐放具１の芳香体用ケース６の一面側を示す構成図、（Ｂ）は芳香体用ケース６の他面側を示す構成図である。
【００２８】
芳香体用ケース６は、二酸化塩素ガス用ケース５と同様、例えばポリ塩化ビニルなどで形成された矩形状のケースである。芳香体用ケース６は、芳香体３から発生する芳香臭を外部に徐放するための開口３１を両面に有する。芳香体３に染み込んだ芳香成分が揮発する際に、芳香成分がケース内に留まりケース６がべたつきやぬめりなどの意図しない状態にならないよう、開口３１は少なくとも一方の面の一帯においてほぼ均一に設けられることが好ましい。また、ケース６の表面にロゴなどを入れる場合には、芳香臭の徐放性を損なわない程度に開口３１を設けない領域を形成し、その領域に入れるのが好ましい。
【００２９】
ケース６の表面（または裏面）には、図示上方より芳香体３を挿入するための挿入口３２が設けられる。ケース６には、図示上方に支持体４により支持されるための支持孔３３が設けられる。
【００３０】
図１に示す支持体４は、ガス発生体２と芳香体３とを共に支持する。具体的には、支持体４は、ガス発生体２および芳香体３をそれぞれ収納する二酸化塩素ガス用ケース５および芳香体用ケース６を支持孔２６、３３を介して支持する。支持体４は、両ケース５、６を取り外し可能に支持することが好ましい。また、支持体４は、ネックストラップ４１を備える。
【００３１】
このように構成された徐放具１は、ネックストラップ４１により使用者の首から掛けられて使用される。すると、ガス発生体２のガス発生源１１が空気と接触することにより、二酸化塩素ガスが発生する。発生したガスは、二酸化塩素ガス用ケース５の挿入口２３および開口２４から二酸化塩素ガス用ケース５外に徐放される。これにより、使用者の周囲に存在するウイルス・細菌、悪臭などは、ガスにより除菌、消臭される。
【００３２】
このとき、二酸化塩素ガスは、除菌などに作用すると同時に、刺激臭をも発する。特に置き型やスプレータイプの二酸化塩素を利用した除菌・消臭具などに比べ、本実施形態における徐放具１は首から掛けられ、鼻に近い場所に保持される。このため、使用者によっては、刺激臭を過剰に感じてしまい、気分が悪くなったり、ひいては使用をやめてしまったりする恐れがある。
【００３３】
これに対して、本実施形態における徐放具１は、ガス発生体２と共に芳香体３を備えた。このため、徐放具１は使用者に対しては二酸化塩素ガスの刺激臭を与えることなく、芳香体３から放出される香気を与えることができる。すなわち、二酸化塩素ガスの臭気は芳香体３の香気によりマスキングされ、結果的には使用者に香気のみを与えることができる。ゆえに、本実施形態における徐放具１は、使用者に不快感を与えることなく二酸化塩素ガスの徐放を行い、二酸化塩素ガスによる有効な作用を発揮することができる。
【００３４】
また、徐放具１はガス発生体２および芳香体３を個別のケース５、６にそれぞれ収納し、かつ支持体４はケース５、６を取り外し可能に支持するため、使用者の環境や好みに応じて徐放具１を使い分けることができる。
【００３５】
すなわち、二酸化塩素ガスによる除菌・消臭のみを行いたい場合には、支持体４に二酸化塩素ガス用ケース５（ガス発生体２）のみを取り付け、芳香体用ケース６（芳香体３）は取り付けない。これにより、例えば芳香体３の香気が邪魔をするような食事中や芳香体３以外の香気を知覚する必要がある場合などにおいては、二酸化塩素本来の機能を利用することができる。また、リフレッシュ時などの香気のみを楽しみたい場合には、支持体４に芳香体用ケース６のみを取り付け、二酸化塩素ガス用ケース５は取り付けない。さらに、異なる香気を有する複数の芳香体３（芳香体用ケース６）を用意した場合には、芳香体３（ケース６）を使用者の気分に応じて付け替えることもできる。さらにまた、ガス発生体２および芳香体３が有する本来の機能の寿命が完全に一致するとは限らないため、ガス発生体２と芳香体３との交換時期がずれる可能性がある。この場合、本実施形態における徐放具１は、寿命を迎えた物のみを取り替えることもでき、優れた使用性を備えることもできる。
【００３６】
以上のとおり、本実施形態における二酸化塩素ガス徐放具１は、使用者に二酸化塩素ガスの臭気に基づく不快感を与えることなく、好適に二酸化塩素ガスの徐放を行うことができる。
【００３７】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【００３８】
例えば、本考案に係る徐放具は、芳香体３を二酸化炭素ガス発生体２とともに二酸化塩素ガス用ケース５に入れてもよい。
【００３９】
また、支持体４には、ネックストラップ４１に替えて、キーホルダーや固定用ピンやクリップを設け、使用者近傍に配置してもよい。
【００４０】
さらに、芳香体の形態は板体に代えて、袋体などに収納された、芳香成分が染み込んだ多孔質担体からなる顆粒（粉体）や、高分子樹脂（ゲル）でもよい。
【００４１】
さらにまた、二酸化塩素ガス用ケースは、二酸化塩素ガス発生体収納領域２１のみを備えカード体収納領域２２を備えない形態のものや、３つ以上の収納領域を備えたものであってもよい。
【符号の説明】
【００４２】
１  二酸化塩素ガス徐放具
２  二酸化塩素ガス発生体
３  芳香体
４  支持体
５  二酸化塩素ガス用ケース
６  芳香体用ケース
１１  二酸化塩素ガス発生源
１２  収納体
１５  板体
２１  二酸化塩素ガス発生体収納領域
２２  カード体収納領域
２３、２５、３２  挿入口
２４、３１  開口
２６、３３  支持孔
４１  ネックストラップ
【図１】
0003186240.tif 000003
【図２】
0003186240.tif 000004
【図３】
0003186240.tif 000005
【図４】
0003186240.tif 000006
【図５】
0003186240.tif 000007
【図６】
0003186240.tif 000008